(57)【要約】【課題】キートップ間に仕切り桟の無い構成とする場合に、十字キーの浮き上がりを確実かつ容易に防止することのできるキートップ構造を提供する。【解決手段】上ケース２２に形成された開口部２２aから複数のキートップ６３が露出し、互いに隣接するキートップ６３間に桟が無いキートップ構造であり、複数のキートップ６３のうち、十字キー用キートップ６３９の外周縁部に外方突起６３９cが形成され、固定用ピース６４１の内周縁部に切欠部６４１cが形成されている。そして、外方突起６３９cを切欠部６４１c内に挿入させることにより、固定用ピース６４１で十字キー用キートップ６３９の外周縁部を覆う。【選択図】図４
2007073430.tif 000002
【特許請求の範囲】
【請求項１】
ケースに形成された開口部から複数のキートップが露出し、互いに隣接するキートップ間に桟が無いキートップ構造において、
前記複数のキートップのうち、大型のキートップの外周縁部に、その外周縁部を覆う固定用ピースが設けられていることを特徴とするキートップ構造。
【請求項２】
凸状のキーボタン部が複数形成されたベースラバーと、前記キーボタン部の周囲を囲むとともに各キーボタン部間を仕切って、前記ベースラバー上に重ねられる中フレームとを備え、
前記複数のキートップは、前記キーボタン部にそれぞれ接着されていることを特徴とする請求項１に記載のキートップ構造。
【請求項３】
前記大型のキートップの外周縁部に、外方に突出する外方突起が形成され、
前記固定用ピースの内周縁部に、内方に向けて切り欠かれた切欠部が形成され、
前記外方突起を前記切欠部内に挿入させることにより、前記固定用ピースで前記大型のキートップの外周縁部を覆うことを特徴とする請求項１又は２に記載のキートップ構造。
【請求項４】
前記外方突起は、前記大型のキートップの外周縁部における角部に形成され、
前記切欠部は、前記外方突起に対応する前記固定用ピースの内周縁部における角部に形成されていることを特徴とする請求項３に記載のキートップ構造。
【発明の詳細な説明】
【技術分野】
【０００１】
本発明は、ケースに形成された開口部から複数のキートップが露出し、互いに隣接するキートップ間に桟が無いキートップ構造に関する。
【背景技術】
【０００２】
近年、携帯電話機等の携帯端末機の操作性を向上させるためにキートップの面積を大きくとり、また、デザイン面の要請から隣接するキートップ間に、ケースに形成した仕切り桟の無いキートップが要求されている。具体的には、キートップを固着する浮動部を有するゴム状弾性体からなる弾性部材と、弾性部材上に浮動部を囲むように載置されて硬質樹脂でなる補強部材とからベースシートを構成し、ベースシートの浮動部にそれぞれ複数のキートップを固着している。そして、ベースシートの外縁部を仕切り桟の無いケースの開口部裏面に固着することによって、開口部内から複数のキートップが狭間配置で露出されるようになっている（例えば、特許文献１参照）。
【特許文献１】特開２００５−１９０８４９号公報
【発明の開示】
【発明が解決しようとする課題】
【０００３】
しかしながら、上述のように隣接するキートップ間に仕切り桟の無い構成とした場合に、特に十字キーはテンキーよりも大きいため、右上や左下など、角部を押下することによってこれと対角線上に位置する角部が浮き上がることがあった。
本発明は、上記事情に鑑みてなされたもので、キートップ間に仕切り桟の無い構成とする場合に、十字キのような大型のキーの浮き上がりを確実かつ容易に防止することのできるキートップ構造を提供することを目的としている。
【課題を解決するための手段】
【０００４】
上記課題を解決するため、請求項１の発明は、ケースに形成された開口部から複数のキートップが露出し、互いに隣接するキートップ間に桟が無いキートップ構造において、
前記複数のキートップのうち、大型のキートップの外周縁部に、その外周縁部を覆う固定用ピースが設けられていることを特徴とする。
【０００５】
請求項１の発明によれば、十字キーのような大型のキートップの外周縁部に、その外周縁部を覆うように固定用ピースが設けられているので、大型のキートップの外周縁部が固定される。したがって、テンキー等のキートップよりも大きな十字キーであっても、その１つの角部を押下した場合に、押下した角部と対角線上にある角部の浮き上がりを確実に防止することができる。
また、十字キーの浮き上がりを防止するための桟をケースに形成する必要もなく、固定用ピースを設けるだけで良いので、ケースの構造が単純となり、製造が容易となる。
【０００６】
請求項２の発明は、請求項１に記載のキートップ構造において、
凸状のキーボタン部が複数形成されたベースラバーと、前記キーボタン部の周囲を囲むとともに各キーボタン部間を仕切って、前記ベースラバー上に重ねられる中フレームとを備え、
前記複数のキートップは、前記キーボタン部にそれぞれ接着されていることを特徴とする。
【０００７】
請求項２の発明によれば、複数のキートップは中フレームによって固定されたキーボタン部にそれぞれ接着され、固定用ピースはキーボタン部に接着された大型のキートップの外周縁部を覆うように設けられるので、ケースに、キートップを固定するための桟を形成することなく、キーボタン部によって固定でき、また、大型のキートップは固定用ピースによって確実に固定できる。
また、互いに隣接するキートップ間に桟が無い構造となるので、操作性が向上し、デザイン面でも優れたものとなる。しかも、ベースラバーとキートップとの間に中フレームを設ける構造であるので、キートップ形状についてデザインの自由度を高めることができる。
【０００８】
請求項３の発明は、請求項１又は２に記載のキートップ構造において、
前記大型のキートップの外周縁部に、外方に突出する外方突起が形成され、
前記固定用ピースの内周縁部に、内方に向けて切り欠かれた切欠部が形成され、
前記外方突起を前記切欠部内に挿入させることにより、前記固定用ピースで前記大型のキートップの外周縁部を覆うことを特徴とする。
【０００９】
請求項３の発明によれば、十字キーのような大型のキートップの外方突起を、固定用ピースの切欠部内に挿入させることにより、固定用ピースで大型のキートップの外周縁部を覆うので、大型のキートップを確実に固定でき、外方突起も切欠部内に挿入されて外側にほとんど露出しないため外観上好ましい。また、大型のキートップに外方突起を形成し、固定用ピースに切欠部を形成すれば良く、単純な構造で製造も容易である。
【００１０】
請求項４の発明は、請求項３に記載のキートップ構造において、
前記外方突起は、前記大型のキートップの外周縁部における角部に形成され、
前記切欠部は、前記外方突起に対応する前記固定用ピースの内周縁部における角部に形成されていることを特徴とする。
【００１１】
請求項４の発明によれば、外方突起及び切欠部は、それぞれ大型キートップ及び固定用ピースの角部にそれぞれ形成されており、スペースのある箇所に形成されていることから、製造面及び強度面に優れる。
【発明の効果】
【００１２】
本発明によれば、十字キーのような大型のキートップの外周縁部が固定用ピースによって覆われているので、確実かつ容易にキートップの角部の浮き上がりを防止することができる。
【発明を実施するための最良の形態】
【００１３】
以下、本発明の実施の形態を、携帯電話機を例に図面に基づいて説明する。
図１は、本発明に係る携帯電話機１の斜視図、図２は、携帯電話機１を構成する本体部２の分解斜視図、図３は、本体部２の要部を示す平面図、図４は、図３におけるIV−IV矢視断面図である。なお、図３及び図４に示す矢印は十字キー６３９の角部を押下する位置を示している。
携帯電話機１は、本体部２と蓋部３とをヒンジ部４により折り畳み可能に連結してなるものである。
本体部２は、下ケース２１と上ケース２２とを互いに組み合わせてなる筐体を有し、筐体内には、回路基板等を備えるユニットアッシー５やキーパッド６、図示しないがマイクやバイブレータ、バッテリー等の各種部品が組み込まれている。
下ケース２１は、樹脂からなる下向きに窪んだ略箱状のものであり、底面には内部に収容したバッテリーを外部に取り出し可能とする開口部２１aが形成されている。開口部２１aは図示しないバッテリーカバーによって覆われる。
【００１４】
下ケース２１内に収容されたユニットアッシー５は、例えばＭｇ合金等からなるフレーム５０の下面側に、メインプロセッサ、メモリー、モデム、電源ＩＣ、アンテナ等が設けられた回路基板５１を組み付け、上面側に、ドームスイッチのような可動接点と固定接点とを備えた薄型の押圧式スイッチ５３が複数設けられているキー基板５２を組み付けたものである。
【００１５】
キーパッド６は、キー基板５２上に重ねられるベースラバー６１と、ベースラバー６１上に重ねられる中フレーム６２と、中フレーム６２上に重ねられるキートップ６３とを備えている。
ベースラバー６１は、半透明の樹脂からなる薄板状で、上面にスイッチ５３に対応する複数のキーボタン部６１１a，６１１b，６１１cが上方に凸となるように設けられている。キーボタン部６１１aは、その上面に配される縦横方向に３×５個のキートップ（テンキー６３１、オンフックキー６３２、オフフックキー６３３、クリアキー６３４）に対応しており、キーボタン部６１１bは、キーボタン部６１１aの周囲（ベースラバー６１の一端部側）に配されてメールキー６３５、アドレス帳キー６３６、ネット接続キー６３７、アプリキー６３８に対応している。さらに、キーボタン部６１１cは、キーボタン部６１１bの中央に配されて十字キー６３９、決定キー６４０に対応している。
【００１６】
キーボタン部６１１aは、それぞれ同じ大きさで横に長い平面視略長方形状であり、キー６３５〜６３８に対応するキーボタン部６１１bは、上記キーボタン部６１１aよりも若干小さく平面視略正方形状である。さらに、十字キー６３９に対応するキーボタン部６１１cは、決定キー６４０に対応するキーボタン部６１１cを中心としてその周囲に等間隔に４つ配置されている。また、これら十字キー６３９及び決定キー６４０に対応するキーボタン部６１１cは、さらに小さな平面視略四角形状をなしている。全てのキーボタン部６１１a，６１１b，６１１cは、四角形の角部が面取りされている。
各キーボタン部６１１a，６１１b，６１１cの下面中央には、スイッチ５３を押下するための、下方に凸となるドーム状の押下部６１２がそれぞれ形成されている（図４参照）。また、後述する固定用ピース６４１に対応するベースラバー６１の上面には、固定用ピース６４１を固定するための、下方に窪む凹部６１３が４箇所形成されている（図４参照）。
【００１７】
中フレーム６２は、ＳＵＳからなる薄板状でベースラバー６１と略同じ大きさをなしている。中フレーム６２は、複数のキーボタン部６１１a，６１１b，６１１cの周囲を囲む外枠部６２１と、各キーボタン部６１１a，６１１b，６１１c間を仕切る仕切り枠部６２２とが一体形成されている。
【００１８】
キートップ６３には、上述のように縦横方向に３×５個となるように並べられるテンキー６３１、オンフックキー６３２、オフフックキー６３３、クリアキー６３４と、メールキー６３５、アドレス帳キー６３６、ネット接続キー６３７、アプリキー６３８、十字キー６３９及び決定キー６４０用のキートップがある。
これらの各種キートップ６３は、樹脂製或いは金属製であり、テンキー６３１、オンフックキー６３２、オフフックキー６３３及びクリアキー６３４は横に長い平面視略長方形状であり、メールキー６３５、アドレス帳キー６３６、ネット接続キー６３７、アプリキー６３８及び決定キー６４０は、平面視略正方形状である。十字キー６３９は、中央に決定キー６４０が嵌め込まれる穴部６３９aが形成された平面視略四角枠状である。また、決定キー６４０及び十字キー６３９は角部が面取りされている。そして、十字キー６３９の外周には、その外周を囲み十字キー６３９の浮き上がりを防止するための固定用ピース６４１が設けられている。
【００１９】
固定用ピース６４１は、樹脂製或いは金属製であり、中央に十字キー６３９が嵌め込まれ、十字キー６３９と略同じ大きさの四角形状の穴部６４１aが形成された平面視略四角枠状である。固定用ピース６４１は、十字キー６３９より縦横方向の長さが若干長く、十字キー６３９より一回り大きい。固定用ピース６４１の四角枠状の幅は、角部で最も厚みを有している。
また、固定用ピース６４１の角部下面には、下方に突出し、中フレーム６２を貫通してベースラバー６１の上面に形成された４つの凹部６１３内にそれぞれ差し込まれて固定される固定部６４１eが４つ形成されている（図４参照）。
さらに、固定用ピース６４１の外周縁部のうち、上ケース２２の開口部２２aを形成する内周縁部と接する部分には、外方（上ケース２２側）に突出する外方突起６４１bが形成されている。この外方突起６４１bが上ケース２２によって上側から挟み込まれることによって固定用ピース６４１が固定されるようになっている。
【００２０】
図５は、決定キー６４０、十字キー６３９及び固定用ピース６４１の分解斜視図である。
十字キー６３９と、十字キー６３９を固定する固定用ピース６４１とは、十字キー６３９の外周縁部に固定用ピース６４１の穴部６４１aを形成する内周縁部が上側から覆うことによって十字キー６３９が固定されて浮き上がりが防止されている。
詳細には、十字キー６３９の外周縁部の下端部において、４つの角部に、各角部から外方（固定用ピース６４１側）に突出する外方突起６３９cが形成されている。一方、固定用ピース６４１の穴部６４１aを形成する内周縁部の下端部において、十字キー６３９の４つの角部（外方突起６３９c）に対応する箇所（固定用ピース６４１の角部）には、各角部から内方（十字キー６３９側）に向けて切り欠かれた切欠部６４１cが形成されている。そして、十字キー６３９の外方突起６３９cが固定用ピース６４１の切欠部６４１c内に挿入されるように、固定用ピース６４１が覆うことによって十字キー６３９が固定されている。
ここで、十字キー６３９の４つの角部及びこれに対応する固定用ピース６４１の４つの角部にのみ外方突起６３９c及び切欠部６４１cを形成したのは、固定用ピース６４１の角部は、その幅が厚いことから、強度面及び製造面を考慮したものである。
【００２１】
決定キー６４０と、決定キー６４０を固定する十字キー６３９とは、決定キー６４０の外周縁部に十字キー６３９の穴部６３９aを形成する内周縁部が上側から覆うことによって決定キー６４０が固定されて浮き上がりが防止されている。
詳細には、決定キー６４０の外周縁部の下端部には、外方（十字キー６３９側）に突出する外方突起６４０dが外周縁部全周に渡って形成されている。一方、十字キー６３９の穴部６３９aを形成する内周縁部の下端部は、内方（決定キー６４０側）に向けて切り欠かれた切欠部６３９dが内周縁部全周に渡って形成されている。そして、決定キー６４０の外方突起６４０dが十字キー６３９の切欠部６３９d内に挿入されるように、十字キー６３９で覆うことによって決定キー６４０が固定されている。
以上のようにして、内側から順に決定キー６４０が十字キー６３９によって固定され、十字キー６３９が固定用ピース６４１によって固定されている。
【００２２】
上ケース２２は、樹脂からなる上向きに窪んだ略箱状のものであり、上ケース２２の表面には内部に収容した複数のキートップ６３が表面に露出するようにキートップ６３の周囲を上方から囲む平面視略長方形状の開口部２２aが形成されている。
【００２３】
なお、蓋部３は、詳細に説明しないが、本体部２と同様に樹脂製の下ケース３１と上ケース３２とを互いに組み合わせてなる筐体を有し、筐体内には表示部３３、カメラ及び報知用ＬＥＤ等の各種部品が組み込まれている。
【００２４】
次に、本体部２の組み付け手順について図２及び図５を参照しながら説明する。
まず、ベースラバー６１上に中フレーム６２を重ねる。すなわち、各キーボタン部６１１a，６１１bの全体を中フレーム６２の外枠部６２１で囲むとともに、その内方の各キーボタン部６１１a，６１１bの間を仕切り枠部６２２により縦横方向にそれぞれ仕切った状態とする。
【００２５】
次いで、中フレーム６２から突出するベースラバー６１のキーボタン部６１１a，６１１bに、対応する各キートップ６３を接着剤により貼り付ける。このとき、決定キー６４０、十字キー６３９及び固定用ピース６４１は、決定キー６４０をキーボタン部６１１bに貼り付けた後に、決定キー６４０の外方突起６４０dを十字キー６３９の切欠部６３９d内に挿入させて覆うとともに十字キー６３９をキーボタン部６１１bに貼り付ける。さらに、十字キー６３９の外方突起６３９cを固定用ピース６４１の切欠部６４１c内に挿入させて覆うとともに、固定用ピース６４１の固定部６４１eを中フレーム６２に形成した貫通孔６２３を挿通させてベースラバー６１の凹部６１３内に差し込み、固定部６４１eの先端部をベースラバー６１の凹部６１３に接着剤で貼り付ける。このようにして固定されたキートップ６３は、中フレーム６２の外周縁部から離間して配置されている。
【００２６】
上記のようにしてベースラバー６１、中フレーム６２及びキートップ６３が組み付けられたキーパッド６は、中フレーム６２の角部に形成されている貫通孔６２４及びベースラバー６１の角部に形成されている貫通孔６１４を、上ケース２２の開口部２２aを形成する内周縁部の下面に突出形成されている位置決め用ピンに差し込むことにより、上ケース２２の内面に取り付けられる。したがって、上ケース２２の表面からは中フレーム６２の外周縁部が露出せずにキートップ６３のみ露出する。また、このとき固定用ピース６４１の外方突起６４１bが上ケース２２の開口部２２aを形成する内周縁部によって挟み込まれている。そのため、上ケース２２と下ケース２１とを組み合わせた際に、固定用ピース６４１が強固に固定され、これに伴って十字キー６３９及び決定キー６４０もより強固に固定される。
【００２７】
その後、キーパッド６が取り付けられた上ケース２２、上面にキー基板５２が載置されたユニットアッシー５、及び下ケース２１を組み合わせることによって本体部２の組み立てが完了する。
以上のように組み立てられた本体部２は、上ケース２２の表面とキートップ６３及び固定用ピース６４１の表面とがほぼ面一とされる。
【００２８】
以上、本発明の実施の形態によれば、十字キー６３９は、その外周縁部を覆うようにして固定用ピース６４１で固定されているので、十字キー６３９の１つの角部を押下した場合でも、押下した角部と対角線上にある角部の浮き上がりを確実に防止することができる。
さらに、複数のキートップ６３は中フレーム６２によって固定されたベースラバー６１のキーボタン部６１１a，６１１b，６１１cにそれぞれ接着されているので、上ケース２２に、キートップ６３を固定するための桟を形成することなく、キーボタン部６１１a，６１１b，６１１cによって固定でき、また、十字キー６３９はキーボタン部６１１cだけでなく固定用ピース６４１によって確実に固定できる。さらに、互いに隣接するキートップ６３間に桟が無い構造となるので、操作性が向上し、デザイン面でも優れたものとなる。しかも、ベースラバー６１とキートップ６３との間に中フレーム６２を設ける構造であるので、キートップ６３形状についてデザインの自由度を高めることができる。
十字キー６３９の外方突起６３９cが、固定用ピース６４１の切欠部６４１c内に挿入されるように、固定用ピース６４１が上側から覆うことによって十字キー６３９が固定されているので、単純な構造でかつ十字キー６３９を確実に固定することができる。
また、決定キー６４０も、決定キー６４０の外方突起６４０dが、十字キー６３９の切欠部６３９d内に挿入されるように、十字キー６３９が上側から覆うことによって固定されているので、単純な構造でかつ決定キー６４０を確実に固定することができる。
【００２９】
なお、本発明は上記実施の形態に限定されるものではなく、その要旨を逸脱しない範囲で適宜変更可能である。
例えば、上記実施の形態においては、携帯電話機について適用したが、これに限定されるものではなく、ＰＤＡ等の他の携帯端末機器に適用しても良い。また、キートップ６３の個数や配置等は適宜変更可能である。さらに、下ケース２１，３１、上ケース２２，３２は樹脂製としたが金属製でも良く、中フレーム６２は金属製に限らず樹脂製でも良い。
また、固定用ピース６４１は、角部下面に下方に突出する固定部６４１eが形成され、４つの固定部６４１eが中フレーム６２を貫通してベースラバー６１の凹部６１３内に差し込まれて固定されるとしたが、決定キー６４０と同様にベースラバー６１に、固定用ピース６４１に対応するキーボタン部を形成し、そのキーボタン部に接着するように構成しても良い。
【００３０】
上記実施の形態において、十字キー６３９と固定用ピース６４１との固定構造及び決定キー６４０と十字キー６３９との固定構造については、上述した構造に限られない。例えば、十字キー６３９は、４つの角部のみに外方突起６３９cを設け、固定用ピース６４１の内周縁部に形成された４つの切欠部６４１内に挿入されて固定されるとしたが、決定キー６４０の外方突起６４０dと十字キー６３９の切欠部６３９dと同様に、十字キー６３９の外周縁部全周に渡って外方突起を形成し、固定用ピース６４１の内周縁部全周に渡って切欠部を形成し、この切欠部で外方突起を固定するように構成しても構わない。
また、反対に、決定キー６４０の外方突起６４０dと十字キー６３９の切欠部６３９dにおいても、十字キー６３９の外方突起６３９cと固定用ピース６４１の切欠部６４１cのように角部の一部にのみ形成するようにしても良い。
【図面の簡単な説明】
【００３１】
【図１】本発明に係る携帯電話機１の斜視図である。
【図２】携帯電話機１を構成する本体部２の分解斜視図である。
【図３】本体部２の要部を示す平面図である。
【図４】図３におけるIV−IV矢視断面図である。
【図５】図５は、決定キー６４０、十字キー６３９及び固定用ピース６４１の分解斜視図である。
【符号の説明】
【００３２】
２２  上ケース
２２a  開口部
６１  ベースラバー
６２  中フレーム
６３  キートップ
６１１a，６１１b  キーボタン部
６３９  十字キー
６３９c  外方突起
６４１  固定用ピース
６４１c  切欠部
【図１】
2007073430.tif 000003
【図２】
2007073430.tif 000004
【図３】
2007073430.tif 000005
【図４】
2007073430.tif 000006
【図５】
2007073430.tif 000007